(57)【要約】【課題】設置位置に持ち上げ等の運搬時の取手の引き出しが簡単な構成と操作で安全に行われて設置して画像が形成することが出来る運搬装置、及び、その運搬装置を具備する画像形成装置を提供する。【解決手段】引き出し可能に支持されて収納された取手１と、上記取手１が収納部２から出没する開口部３と、上記開口部３から上記取手１の先端部１ａを引き出しに先立って所定位置まで予め移動させて突出させる移動手段４と、上記移動手段４の移動を操作する移動操作部５とからなる。【選択図】        図１
2005026507.tif 000002
【特許請求の範囲】
【請求項１】
収納されて引き出し可能に支持された取手からなる運搬装置において、引き出し可能に支持されて収納された取手と、上記取手が収納部から出没する開口部と、上記開口部から上記取手の先端部を引き出すに先立って所定位置まで予め移動させて突出させる移動手段と、上記移動手段の移動を操作する移動操作部と、からなることを特徴とする運搬装置。
【請求項２】
請求項１に記載の運搬装置において、取手は、コの字形状部からなることを特徴とする運搬装置。
【請求項３】
請求項１又は２に記載の運搬装置において、移動手段は、本体フレームに係合する取手に形成した傾斜部からなることを特徴とする運搬装置。
【請求項４】
請求項３に記載の運搬装置において、傾斜部は、取手の下側に形成されていることを特徴とする運搬装置。
【請求項５】
請求項３に記載の運搬装置において、傾斜部は、取手の横側に形成したことを特徴とする運搬装置。
【請求項６】
請求項１又は２に記載の運搬装置において、移動手段は、取手に摩擦接合する摩擦車からなることを特徴とする運搬装置。
【請求項７】
請求項１又は２に記載の運搬装置において、移動手段は、取手に形成した穴に噛み合う歯車からなることを特徴とする運搬装置。
【請求項８】
請求項１、２、３、４又は５に記載の運搬装置において、移動操作部は、取手の先端部を兼用したことを特徴とする運搬装置。
【請求項９】
請求項８に記載の運搬装置において、先端部は、コの字形状部であることを特徴とする運搬装置。
【請求項１０】
請求項６に記載の運搬装置において、移動操作部は、移動手段の摩擦車を兼用したことを特徴とする運搬装置。
【請求項１１】
請求項７に記載の運搬装置において、移動操作部は、移動手段の歯車を兼用したことを特徴とする運搬装置。
【請求項１２】
設置位置に運搬して画像を形成する画像形成装置において、設置位置に運搬する上記請求項１乃至１１の何れか一項に記載の運搬装置と、上記運搬装置によって設置位置に運搬して画像を形成する画像形成部とからなることを特徴とする画像形成装置。
【請求項１３】
請求項１２に記載の画像形成装置において、画像形成部は、電子写真方法でトナー画像を形成することを特徴とする画像形成装置。
【請求項１４】
請求項１２又は１３に記載の画像形成装置において、運搬装置は、画像形成部と上記画像形成部を載置する載置台との間の上気画像形成部側の画像形成部フレーム又は上記載置台側の載置台フレームに搭載したことを特徴とする画像形成装置。
【発明の詳細な説明】
【０００１】
【発明の属する技術分野】
本発明は、運搬装置、及び、その運搬装置を具備する画像形成装置に関し、詳しくは、収納されて引き出し可能に支持された取手からなる運搬装置、及び、その運搬装置を具備する設置位置に運搬して画像を形成する印刷機や電子写真方法でトナー画像を形成する複写機、ファクシミリ装置、プリンタあるいはこれらの複合機等の画像形成装置に関する。
【０００２】
【従来の技術】
従来の運搬装置、及び、その運搬装置を具備する画像形成装置においては、例えば、印刷機や電子写真方法でトナー画像を形成する複写機、ファクシミリ装置、プリンタ等は、重量が大きいため、その設置時や設置場所の変更時における、持ち上げ等の運搬の便宜を考慮して、取手を設けている。
この取手の構成は、出っ張りを設けたもの、手が入るような窪みを設けたものや、出し入れが可能に設けた取手を使用して持ち上げ等の運搬をする運搬装置を備えていたものがある。
複写機、ファクシミリ装置、プリンタ等の画像形成装置の機器本体に、取手が退避して収納する場所を設けて、運搬時に取手を引き出すことは公知である（実公平６−８５９７号、特開２０００−２５８９６９、特開２０００−９４７９０、特開２００２−３０７７８１等の公報を参照）。
画像形成装置本体に取手部材を設けて、抜け防止部材を取り外すことで、取り出すことが出来るようにする構成（実公平６−８５９７号等の公報を参照）では、取り外す作業が煩わしく、その操作性が好ましくない。
然し、複写機、ファクシミリ装置、プリンタ等の画像形成装置の機器本体側面に、取手を垂直方向にスライドして、収納、若しくは、引き出す構成（特開２０００−２５８９６９号の公報の図２、特開２０００−９４７９０号の公報の図２、特開２００２−３０７７８１の公報の図１を参照）では、取手の収納状態で、取手は器機側面と同一面、或いは、取手は器機側面より奥側に位置している。
このような器機側面と同一面、或いは、器機側面より奥側に位置する取手を引き出す際には、操作者の爪等の先で、一旦、引っ掛けた後に、引っ張り出さなければならないと言う、引き出しにくさがあった。
【０００３】
そこで、キャップが封じた状態で、取手は中空パイプ内に退避しており、キャップを開くと、弾性体の付勢力によって、取手が中空パイプの開口端より外側方向に突出するようにして、運搬時に自動的に取手を引き出して、操作性を向上させることも公知である（特開２０００−９４７９０号の公報の図３を参照）。
然し、このように、弾性体の付勢力によって、意図しない勢いでの取手の飛び出しによって、怪我をする恐れがあった。
従って、従来の運搬装置、及び、その運搬装置を具備する画像形成装置においては、持ち上げ等の運搬時の取手の引き出しが困難で、意図しない勢いでの飛び出しによって怪我をする恐れがあると言う不具合が生じていた。
【特許文献１】実公平６−８５９７号公報
【特許文献２】特開２０００−２５８９６９公報
【特許文献３】特開２０００−９４７９０公報
【特許文献４】特開２００２−３０７７８１公報
【０００４】
【発明が解決しようとする課題】
従来の運搬装置、及び、その運搬装置を具備する画像形成装置においては、持ち上げ等の運搬時の取手の引き出しが困難で、意図しない勢いでの飛び出しによって怪我をする恐れがあると言う問題が発生していた。
そこで本発明の課題は、このような問題点を解決するものである。即ち、設置位置に持ち上げ等の運搬時の取手の引き出しが簡単な構成と操作で安全に行われて設置して画像が形成することが出来る運搬装置、及び、その運搬装置を具備する画像形成装置を提供することを目的とする。
【０００５】
【課題を解決するための手段】
上記目的を達成するために、請求項１の本発明は、収納されて引き出し可能に支持された取手からなる運搬装置において、引き出し可能に支持されて収納された取手と、上記取手が収納部から出没する開口部と、上記開口部から上記取手の先端部を引き出すに先立って所定位置まで予め移動させて突出させる移動手段と、上記移動手段の移動を操作する移動操作部とからなる運搬装置であることを最も主要な特徴とする。
請求項２の本発明は、請求項１に記載の運搬装置において、取手は、コの字形状部からなる運搬装置であることを主要な特徴とする。
請求項３の本発明は、請求項１又は２に記載の運搬装置において、移動手段は、本体フレームに係合する取手に形成した傾斜部からなる運搬装置であることを主要な特徴とする。
【０００６】
請求項４の本発明は、請求項３に記載の運搬装置において、傾斜部は、取手の下側に形成した運搬装置であることを主要な特徴とする。
請求項５の本発明は、請求項３に記載の運搬装置において、傾斜部は、取手の横側に形成した運搬装置であることを主要な特徴とする。
請求項６の本発明は、請求項１又は２に記載の運搬装置において、移動手段は、取手に摩擦接合する摩擦車からなる運搬装置であることを主要な特徴とする。
請求項７の本発明は、請求項１又は２に記載の運搬装置において、移動手段は、取手に形成した穴に噛み合う歯車からなる運搬装置であることを主要な特徴とする。
請求項８の本発明は、請求項１、２、３、４又は５に記載の運搬装置において、移動操作部は、取手の先端部を兼用した運搬装置であることを主要な特徴とする。
請求項９の本発明は、請求項８に記載の運搬装置において、先端部は、コの字形状部である運搬装置であることを主要な特徴とする。
【０００７】
請求項１０の本発明は、請求項６に記載の運搬装置において、移動操作部は、移動手段の摩擦車を兼用した運搬装置であることを主要な特徴とする。
請求項１１の本発明は、請求項７に記載の運搬装置において、移動操作部は、移動手段の歯車を兼用した運搬装置であることを主要な特徴とする。
請求項１２の本発明は、設置位置に運搬して画像を形成する画像形成装置において、設置位置に運搬する上記請求項１乃至１１の何れか一項に記載の運搬装置と、上記運搬装置によって設置位置に運搬して画像を形成する画像形成部とからなる画像形成装置であることを最も主要な特徴とする。
請求項１３の本発明は、請求項１２に記載の画像形成装置において、画像形成部は、電子写真方法でトナー画像を形成する画像形成装置であることを主要な特徴とする。
請求項１４の本発明は、請求項１２又は１３に記載の画像形成装置において、運搬装置は、画像形成部と上記画像形成部を載置する載置台との間の上気画像形成部側の画像形成部フレーム又は上記載置台側の載置台フレームに搭載した画像形成装置であることを主要な特徴とする。
【０００８】
【発明の実施の形態】
次に、本発明の実施の形態は、図面を参照して詳細に説明する。
図１乃至図３において、収納されて引き出し可能に支持された取手からなる運搬装置０は、収納部２内に引き出し可能に支持されて収納された取手１と、取手１が収納部２から図示の矢印（Ａ）方向に出没する開口部３と、上記開口部３から取手１の先端部１ａを引き出すに先立って図３に図示する所定位置まで予め移動させて突出させる移動手段４の傾斜部４ａと、傾斜部４ａの移動を操作する移動操作部５の兼用する先端部１ａの上向きのコの字形状部１ｂとからなり、設置位置に持ち上げ等の運搬時の取手１の引き出しが上記傾斜部４ａの簡単な構成と操作で安全に行われて設置することが出来る。
尚、取手１の引き出し時には、取手１の後端の係合部１ｄが機器本体側から突出したストッパー８に係合されて、取手１の引き出しが規制されるようになっている。
取手１の少なくとも先端部１ａは、図２に図示するように、上向きのコの字形状部１ｂからなるので、設置位置に持ち上げ等の運搬時における持ち上げる握る手に馴染み易く、その縁等で傷つくことが防止することができ、更に、安全である。
傾斜部４ａは、上向きのコの字形状部１ｂからなる取手１の先端部１ａの下側に膨らむように絞りによって形成されて、本体フレーム６の係合部６ａに係合する。
【０００９】
取手１を収納部２に収納する時は、図１に図示するように、上記本体フレーム６の上記係合部６ａに、傾斜部４ａが楔の様に食い付き、不容易に取手１の上記先端部１ａが飛び出して来ない様になっている。
この時、取手１の上記先端部１ａは外装カバー７の側面７ａと同一面になっている。この状態では、取手１の上記先端部１ａを、握って引き出す為に、摘んで引き出すのは困難である
そこで、上記移動操作部５の兼用する先端部１ａの上向きのコの字形状部１ｂを、図３に図示するように、図示の矢印（Ｂ）方向の下に押すと、上記本体フレーム６の上記係合部６ａを取手１の上記先端部１ａに形成された傾斜部４ａが滑り、取手１の上記先端部１ａが上記外装カバー７の上記側面７ａから図示の矢印（Ｃ）方向に少し移動するから、取手１の上記先端部１ａが握り易くなり、取手１の上記先端部１ａに形成された傾斜部４ａが取手１の上記先端部１ａを握る際のストッパーにも使えて、更に、取手１の引き出しの操作が簡単な構造と操作で安全に行えるようになっている。
図示しないが、傾斜部４ａは、取手１の上記先端部１ａの横側に膨らむように絞りによって形成すれば、重力により振動等で、取手１の上記先端部１ａに形成された傾斜部４ａが滑り降りる可能性がなくなり、更に、安全である。
従って、設置位置に持ち上げ等の運搬時の取手１の引き出しが上記傾斜部４ａの、更に、簡単な構成と操作で、更に、安全に行われて設置することが出来る上記運搬装置０を提供することが出来るようになった。
【００１０】
図４と図５において、収納されて引き出し可能に支持された取手からなる運搬装置１００は、引き出し可能に支持されて収納された取手１と、取手１が収納部２から図示の矢印（Ａ）方向に出没する上記開口部３と、上記開口部３から取手１の上記先端部１ａを引き出しに先立って図示する所定位置まで予め図示の矢印（Ｃ）方向に移動させて上記外装カバー７の上記側面７ａから突出させる上記移動手段４の取手１に摩擦接合する摩擦車４ｂと、上記移動手段４の取手１に摩擦接合する上記摩擦車４ｂを図示の矢印（Ｄ）方向に回転移動の操作をする上記移動操作部５の兼用する上記摩擦車４ｂとからなり、設置位置に持ち上げ等の運搬時の取手１のスムースな引き出しと収納が簡単な構成と操作で安全に行われて設置することが出来る。
上記摩擦車４ｂは、上記外装カバー７にて覆われており、上記外装カバー７の開口部７ｂから上記移動操作部５の兼用する上記摩擦車４ｂの突出する部分を、図示の矢印（Ｄ）方向に回すことにより、上記開口部３から取手１の上記先端部１ａを引き出しに先立って図示する所定位置まで予め図示の矢印（Ｃ）方向に移動させて上記外装カバー７の上記側面７ａから突出させるようになっている（図５）。
従って、設置位置に持ち上げ等の運搬時の取手１のスムースな引き出しと収納が上記摩擦車４ｂの、更に、簡単な構成と操作で、更に、安全に行われて設置することが出来る上記運搬装置１００を提供することが出来るようになった。
【００１１】
図６は本発明の他の実施形態の要部構成を示す斜視図であり、同図において、収納されて引き出し可能に支持された取手からなる運搬装置２００は、引き出し可能に支持されて収納された取手１と、取手１が収納部２から図示の矢印（Ａ）方向に出没する開口部３と、開口部３から取手１の上記先端部１ａを引き出すに先立って図示する所定位置まで予め図示の矢印（Ｃ）方向に移動させて上記外装カバー７の上記側面７ａから突出させる上記移動手段４の取手１に形成された穴１ｃに噛み合う歯車４ｃと、上記移動手段４の取手１に形成された上記穴１ｃに噛み合う上記歯車４ｃを図示の矢印（Ｄ）方向に回転移動の操作をする上記移動操作部５の兼用する上記歯車４ｃとからなり、設置位置に持ち上げ等の運搬時の取手１の、更に、スムースで確実な引き出しと収納が簡単な構成と操作で安全に行われて設置することが出来る。
上記歯車４ｃは、上記外装カバー７に覆われており、上記外装カバー７の開口部７ｂから上記移動操作部５の兼用する上記歯車４ｃの突出する部分を、図示の矢印（Ｄ）方向に回すことにより、上記開口部３から取手１の上記先端部１ａを引き出しに先立って図示する所定位置まで予め図示の矢印（Ｃ）方向に移動させて上記外装カバー７の上記側面７ａから突出させるようになっている。
【００１２】
上記運搬装置２００は、上記運搬装置１００の上記摩擦車４ｂの代わりに取手１に上記穴１ｃ、上記摩擦車４ｂに歯を設けた上記歯車４ｃで、取手１を移動するようにしている。
上記穴１ｃと上記歯車４ｃの噛合いにより、上記摩擦車４ｂよりも確実に取手１を移動することが出来る。
上記穴１ｃを多く開けると、取手１の強度が落ちるため、手で取手１の上記先端部１ａを摘める位置まで、上記外装カバー７の上記側面７ａから突出するだけの上記穴１ｃが形成されている。
上記歯車４ｃも取手１に対応しなくする。図示するように、上記穴１ｃが無くなると、上記歯車４ｃの歯も無くなり、取手１の引き出しと収納を、更に、スム−スに確実に行うことが出来る。
従って、設置位置に持ち上げ等の運搬時の取手１の、更に、スムースで確実な引き出しと収納が上記歯車４ｃの、更に、簡単な構成と操作で、更に、安全に行われて設置することが出来る上記運搬装置２００を提供することが出来るようになった。
【００１３】
図７において、設置位置に運搬して画像を形成する画像形成装置１０は、設置位置に持ち上げて運搬する上記請求項１乃至１１の何れか一項に記載の上記運搬装置０と、上記運搬装置０によって設置位置に運搬して画像を形成する画像形成部１１とからなり、設置位置に持ち上げ等の運搬時の取手１の引き出しが簡単な構成と操作で安全に行われて設置して画像を形成することが出来る。
上記画像形成装置１０の複写機は、上部には、原稿（０）の画像データを読み取る原稿画像読取装置１３の原稿画像読み取り手段１３ａと自動原稿供給装置（ＡＤＦ）１３ｂが配置されている。
他方、下部には、電子写真方法で高品質のトナー画像を形成する上記画像形成部１１を載置する載置台１２を兼ねて被転写体（Ｐ）の転写用紙を供給する被転写体供給装置が配置されている。
【００１４】
上記運搬装置０は、上記画像形成装置１０におけるスペース的に比較的余裕があり、更に、設置位置に持ち上げて運搬するに都合の良い高さである、電子写真方法で高品質のトナー画像を形成する上記画像形成部１１と上記画像形成部１１を載置する上記載置台１２を兼ねて被転写体（Ｐ）の転写用紙を供給する被転写体供給装置との間の図示のように、上記画像形成部１１の左右の両側の画像形成部フレーム１１ａ、又は、図示しない上記載置台１２側の載置台フレーム１２ａに搭載されている。
従って、設置位置に持ち上げ等の運搬時の取手１のスムースで確実に引き出しと収納が、更に、簡単な構成と操作で安全に行われて設置して画像を形成することが出来る小型の上記画像形成装置１０を提供することが出来るようになった。
上記原稿画像読取装置１３の上記原稿画像読み取り手段１３ａの受光素子１３ａ１のＣＣＤで、原稿（０）の原稿画像の画像データを読み取る。
その画像データでトナー画像を形成する電子写真方法による、潜像形成手段１１ｄのレーザーダイオードを発光させることにより、帯電手段１１ｃで均一に帯電された像担持体１１ｂのドラム形状の感光体ドラム上に静電潜像を形成する。
上記潜像形成手段１１ｄのレーザーダイオードを発光させて形成した静電潜像を現像手段１１ｅで顕像化してトナー画像を形成する。
【００１５】
上記現像手段１１ｅで顕像化したトナー画像は、転写手段１１ｆで、上記載置台１２を兼ねる被転写体供給装置から搬送されて来る被転写体（Ｐ）の転写用紙に転写される。
上記転写手段１１ｆで被転写体（Ｐ）の転写用紙に転写されたトナー画像は、定着手段１１ｇにて加熱と加圧後に、排紙ローラ１１ｈによりトナー画像が形成された被転写体（Ｐ）の転写用紙を排紙トレイ１１ｉへ送り出して収納されるようになっている。
他方、上記像担持体１１ｂのドラム形状の感光体ドラムは、上記被転写体（Ｐ）の転写用紙にトナー画像を転写した後に、表面に付着した残留トナーを、クリーニング装置１１ｊによって掻き落とされてクリーニングされて、次工程の画像形成に備えるようになっている。
従って、設置位置に持ち上げ等の運搬時の取手１のスムースで確実に引き出しと収納が簡単な構成と操作で安全に行われて設置して高品質の画像を形成することが出来る小型の上記画像形成装置１０を提供することが出来るようになった。
【００１６】
【発明の効果】
本発明は、以上説明したように構成されているので、請求項１の発明によれば、設置位置に持ち上げ等の運搬時の取手の引き出しが簡単な構成と操作で安全に行われて設置することが出来る運搬装置を提供することが出来るようになった。
請求項２の発明によれば、設置位置に持ち上げ等の運搬時における持ち上げる握る手に馴染み易く、その縁等で傷つくことが防止することが出来て、設置位置に持ち上げ等の運搬時の取手の引き出しが簡単な構成と操作で、更に、安全に行われて設置することが出来る運搬装置を提供することが出来るようになった。
請求項３の発明によれば、設置位置に持ち上げ等の運搬時の取手の引き出しが、取手の先端部を握る際のストッパーにも使える傾斜部によって、更に、簡単な構成と操作で安全に行われて設置することが出来る運搬装置を提供することが出来るようになった。
請求項４の発明によれば、設置位置に持ち上げ等の運搬時の取手の引き出しが、取手の先端部を握る際のストッパーにも使える下側に膨らむように絞りによって形成された傾斜部によって、更に、簡単な構成と操作で安全に行われて設置することが出来る運搬装置を提供することが出来るようになった。
【００１７】
請求項５の発明によれば、設置位置に持ち上げ等の運搬時の取手の引き出しが、重力により振動等で取手の先端部に形成された移動手段の傾斜部が滑り降りる可能性がなくなり、取手の先端部を握る際のストッパーにも使える傾斜部によって、更に、簡単な構成と操作で安全に行われて設置することが出来る運搬装置を提供することが出来るようになった。
請求項６の発明によれば、設置位置に持ち上げ等の運搬時の取手のスムースな引き出しと収納が簡単な構成と操作で安全に行われて設置することが出来る運搬装置を提供することが出来るようになった。
請求項７の発明によれば、設置位置に持ち上げ等の運搬時の取手のスムースで確実な引き出しと収納が簡単な構成と操作で安全に行われて設置することが出来る運搬装置を提供することが出来るようになった。
請求項８の発明によれば、設置位置に持ち上げ等の運搬時の取手の引き出しが兼用する取手の先端部の簡単な構成と操作で安全に行われて設置することが出来る運搬装置を提供することが出来るようになった。
請求項９の発明によれば、設置位置に持ち上げ等の運搬時の取手の引き出しが兼用する取手の先端部のコの字形状部の、更に、簡単な構成と操作で安全に行われて設置することが出来る運搬装置を提供することが出来るようになった。
【００１８】
請求項１０の発明によれば、設置位置に持ち上げ等の運搬時の取手のスムースな引き出しと収納が兼用する摩擦車の簡単な構成と操作で安全に行われて設置することが出来る運搬装置を提供することが出来るようになった。
請求項１１の発明によれば、設置位置に持ち上げ等の運搬時の取手のスムースで確実な引き出しと収納が兼用する歯車の簡単な構成と操作で安全に行われて設置することが出来る運搬装置を提供することが出来るようになった。
請求項１２の発明によれば設置位置に持ち上げ等の運搬時の取手のスムースで確実に引き出しと収納が、更に、簡単な構成と操作で安全に行われて設置して画像を形成することが出来る画像形成装置を提供することが出来るようになった。
請求項１３の発明によれば設置位置に持ち上げ等の運搬時の取手のスムースで確実に引き出しと収納が簡単な構成と操作で安全に行われて設置して高品質の画像を形成することが出来る画像形成装置を提供することが出来るようになった。
請求項１４の発明によれば設置位置に持ち上げ等の運搬時の取手のスムースで確実に引き出しと収納が、更に、簡単な構成と操作で安全に行われて設置して画像を形成することが出来る小型の画像形成装置を提供することが出来るようになった。
【図面の簡単な説明】
【図１】本発明の実施の形態例を示す運搬装置を説明する説明図。
【図２】本発明の実施の形態例を示す運搬装置の主要部を説明する説明図。
【図３】本発明の実施の形態例を示す運搬装置の他の主要部の状態を説明する説明図。
【図４】本発明の他の実施の形態例を示す運搬装置を説明する斜視図。
【図５】本発明の他の実施の形態例を示す運搬装置の主要部を説明する斜視図。
【図６】本発明の他の実施の形態例を示す運搬装置の主要部を説明する斜視図。
【図７】本発明の他の実施の形態例を示す運搬装置を具備する画像形成装置を説明する説明図。
【符号の説明】
０  運搬装置
１  取手、
１ａ  先端部、
１ｂ  コの字形状部、
１ｃ  穴、
１ｄ  係合部
２  収納部
３  開口部
４  移動手段、
４ａ  傾斜部、
４ｂ  摩擦車、
４ｃ  歯車
５  移動操作部
６  本体フレーム、
６ａ  係合部
７  外装カバー、
７ａ  側面、
７ｂ  開口部
８  ストッパー
１０  画像形成装置
１１  画像形成部、
１１ａ  画像形成部フレーム、
１１ｂ  像担持体、
１１ｃ  帯電手段、
１１ｄ  潜像形成手段、
１１ｅ  現像手段、
１１ｆ  転写手段、
１１ｇ  定着手段、
１１ｈ  排紙ローラ、
１１ｉ  排紙トレイ、
１１ｊ  クリーニング装置
１２  載置台、
１２ａ  載置台フレーム
１３  原稿画像読取装置、
１３ａ  原稿画像読み取り手段、
１３ａ１  受光素子、
１３ｂ  自動原稿供給装置（ＡＤＦ）
１００  運搬装置
２００  運搬装置
【図１】
2005026507.tif 000003
【図２】
2005026507.tif 000004
【図３】
2005026507.tif 000005
【図４】
2005026507.tif 000006
【図５】
2005026507.tif 000007
【図６】
2005026507.tif 000008
【図７】
2005026507.tif 000009